(57)【特許請求の範囲】
【請求項１】
ギアアームの中心にはギアを取着し、該ギアに噛み合う両アイドルギアを軸支し、ギアの回転と共にギアアームを回転揺動してアイドルギアを対を成すリール台ギアに選択的に噛み合わせてリール台を回転駆動するアイドラー装置において、上記ギアアームには軸を延ばすと共に該軸と同芯を成した筒体を設け、軸と筒体との間に形成した溝空間にはツバを嵌めてアイドルギアを取付け、そして筒体には軸方向にスリット溝を設けると共に筒体外周には弾性体を嵌めて締付け、この締付けによってスリット溝幅を縮小して筒体内周面とツバ間に摩擦トルクを発生したことを特徴とするビデオデッキのアイドラー装置。
【請求項２】
ギアアームの中心にはギアを取着し、該ギアに噛み合うアイドルギアをギアアームの先端に軸支し、ギアの回転と共にギアアームを揺動してアイドルギアを対を成すリール台ギアに選択的に噛み合わせてリール台を回転駆動するアイドラー装置において、上記ギアアームには軸を延ばすと共に該軸と同芯を成した筒体を設け、軸と筒体との間に形成した溝空間にはツバを嵌めてアイドルギアを取付け、そして筒体には軸方向にスリット溝を設けると共に筒体外周には弾性体を嵌めて締付け、この締付けによってスリット溝幅を縮小して筒体内周面とツバ間に摩擦トルクを発生したことを特徴とするビデオデッキのアイドラー装置。
【発明の詳細な説明】
【０００１】
【発明の属する技術分野】
本発明はビデオデッキのキャプスタンモータの回転動力によって、対を成すリール台を選択的に回転駆動するアイドラー装置に関するものである。
【０００２】
【従来の技術】
図３はキャプスタンモータ１によりリール台ギア２ａ，２ｂを選択的に回転駆動する駆動機構を示している概略図である。キャプスタンモータ１と同軸に設けている駆動プーリ３にはベルト４が巻き掛けられ、該ベルト４は従動プーリ５に巻き付いて該駆動プーリの回転力を従動プーリ５に伝達している。そして従動プーリ５と同軸にはギア６が取着されて、そしてギア６の左右にはアイドルギア７ａ，７ｂが噛み合っている。
【０００３】
ギア６の軸８にはギアアーム９が揺動自在に支持され、このギアアーム９の両端に上記アイドルギア７ａ，７ｂが回転自在に軸支されていると共に、中央のギア６に噛み合っている。ところで、両アイドルギア７ａ，７ｂはリール台ギア２ａ，２ｂに噛み合ってリール台を回転駆動することになるが、この場合、ギアアーム９が揺動することで噛み合うアイドルギア２ａ，２ｂが選択される。同図ではアイドルギア７ｂがリール台ギア２ｂと噛み合っているが、従動プーリ５の回転方向は反時計回りとなっている。
【０００４】
すなわち、従動プーリ５及びギア６が反時計方向に回転する場合であれば、ギアアーム９を同じく反時計方向に揺動してアイドルギア７ｂがリール台ギア２ｂに噛み合うが、逆に従動プーリ５及びギア６が時計方向に回転するならば、ギアアーム９は時計方向に回転揺動してアイドルギア７ａがリール台ギア２ａと噛み合うことになる。その為に、アイドルギア７ａ，７ｂとギアアーム９の軸との間には摩擦トルクが発生するようになっている。
【０００５】
図４はアイドルギア７とギアアーム９との間に作用する摩擦トルク機構を示している従来例である。アイドルギア７は軸８がギアアーム９に圧入されて取着されているが、アイドルギア７に形成しているリング溝１０にはコイルスプリング１１が嵌り、ギアアーム９との間で圧縮されている。ギアアーム９の表面にはフェルト等の摺動部材１２が貼着されていて、コイルスプリング１１のバネ力の作用によってアイドルギア７の回転に摩擦トルクが発生する。従って、該アイドルギア７に噛み合うギア６の回転方向に追従してギアアーム９は回転揺動することが出来る。
【０００６】
ところで、図４に示した従来のアイドラー装置ではギアアーム９にアイドルギア７を取付ける為に軸８を必要とし、該軸８はギアアーム９に設けた穴に圧入されている。すなわち、アイドルギア７が落下しないように支持する為の軸８を必要とし、しかも組み付けには圧入工程が必要である。そしてアイドルギア７のリング溝１０に嵌ってギアアーム９との間にバネ力が作用するコイルスプリング１１を必要としているが、このバネ力の変化により発生する摩擦トルクは安定せず、ひいてはアイドルギア７ａ，７ｂとリール台ギア２ａ，２ｂとの噛み合いタイミングが正確に取れないことになる。そしてコイルスプリング１１のバネ力がアイドルギア７に作用して押し下げる為に、ギアアーム９から外れないように軸８は圧入にて固定される。
【０００７】
【発明が解決しようとする課題】
このように、従来のアイドラー装置には上記のごとき問題がある。本発明が解決しようとする課題はこの問題点であり、より少ない部品点数にて構成すると共に、安定した摩擦トルクを発生してアイドルギアの噛み合いがスムーズに行なうことが出来るアイドラー装置を提供する。
【０００８】
【課題を解決する為の手段】
本発明のアイドラー装置はギアアームの中心に従動プーリと同軸を成して回転するギアを取付け、又該ギアに噛み合う両アイドルギアを回転自在に軸支している。そこでギアアームの両サイドには軸を突出し、この軸はアイドルギアに形成したツバの軸穴に嵌り、そしてギアアームには該軸と同軸を成して筒体が突出している。アイドルギアのツバはギアアームに設けた軸と筒体間の溝空間に嵌って取着される。
【０００９】
上記筒体にはスリット溝が軸方向に設けられて、筒体の外周には弾性体が嵌っている。弾性体はスリット溝を設けた筒体の内径を縮小するように作用し、従って筒体内周面はアイドルギアのツバを拘束して間には摩擦トルクが発生する。従って従動プーリと共にギアが回転するならば、ギアアームはアイドルギアを回す摩擦トルクにより回転揺動してアイドルギアはリール台ギアと噛み合うことが出来る。
【００１０】
ここで、ギアアームは中心にギアを備え、該ギアに噛み合うアイドルギアを両側に取付ける場合に限らず、棒状を成すギアアームの中心にはギアを取着し、該ギアに噛み合う１個のアイドルギアをギアアーム先端に軸支し、ギアの回転と共にギアアームを揺動してアイドルギアを対を成すリール台ギアに選択的に噛み合わせてリール台を回転駆動するアイドラー装置として構成することもある。以下、本発明に係る実施例を図面に基づいて詳細に説明する。
【００１１】
【実施例】
図１、図２は本発明に係るアイドラー装置を示している実施例で、図２は図１におけるＡ−Ａ断面拡大図である。アイドラー装置の全体構造は前記図３に示している場合と共通するが、ギアアーム２１に取付けられるアイドルギア２２の取付け構造が図３とは違っている。すなわちアイドルギア２２を取付ける為の軸を用いず、そしてコイルスプリングを取付けず、構造は従来に比較して簡単であり製作コストも安くなるように構成している。
【００１２】
ギアアーム２１は図３に示しているように、従動プーリと同軸に取着されているギアを中心として揺動可能となっているが、該ギアアーム２１の両サイドには軸２３が下方へ延び、又該軸２３と同軸を成して筒体２４が下方へ突出している。従って、軸２３と筒体２４の間にはリング状の溝空間２５が形成され、そして筒体２４には軸方向に複数本のスリット溝２６，２６…が設けられていて、筒体２４は複数の筒片２７，２７…から成っている。
【００１３】
一方のアイドルギア２２は中心にツバ２８を突出し、このツバ２８に設けている穴には上記軸２３が嵌っている。そしてツバ２８はギアアーム２１の軸２３と筒体２４の間に形成している溝空間２５に嵌り、アイドルギア２２は回転自在となっている。同図の２９は弾性体を示し、筒体２４の下端部外周に嵌合して該筒体２４を外側から締付けている。
【００１４】
ここで上記弾性体９の具体的な種類は特に限定しないが、コイルバネを筒体２４に嵌めて締付けることが出来、又ゴム製のバンドを嵌めて締付けることも可能である。筒体２４に弾性体２９を嵌めることで、スリット溝２６，２６…の幅は縮小して各筒片２７，２７…は内側へ寄せられ、アイドルギア２２のツバ２８を締めることが出来る。従って、筒体２４の内周面とツバ２８間には摩擦が発生し、アイドルギア２２の回転に追従してギアアーム２１が回転する為の摩擦トルクを発生する。
【００１５】
すなわち、図３において従動プーリと共に回転するギアはアイドルギア２２と噛み合って該アイドルギア２２を回転するが、上記摩擦トルクが発生することでギアアーム２１が回転揺動する。そして一方のアイドルギア２２がリール台ギアと噛み合うと共に該アイドルギア２２は軸２３を中心として回転し、リール台ギアを回転することが出来る。
【００１６】
ところで、アイドルギア２２はギアアーム２１の軸２３と筒体２４の間に形成した溝空間２５にツバ２８を嵌め、筒体２４の外周に弾性体２９を嵌めて支持しているが、該アイドルギア２２は降下してシャーシ３０に当る場合もある。勿論、アイドルギア２２が降下することでリール台ギア２ａ，２ｂとの噛み合い状態が解除しないような隙間でなくてはならないが、軽い樹脂製アイドルギア２２の重量が該シャーシ面に接するだけである為にギアアーム２１の揺動及びアイドルギアの回転には殆ど問題はない。
【００１７】
以上述べたように、本発明のアイドラー装置はギアアームに設けた軸と筒体の間に溝空間を形成し、この溝空間にツバを嵌めてアイドルギアを取付け、そして筒体には弾性体を嵌めたものであり、次のような効果を得ることが出来る。
【００１８】
【発明の効果】
本発明のアイドラー装置はギアアームに設けた軸と筒体の間に形成した溝空間にツバを嵌めてアイドルギアを取付けていて、従来のような軸を圧入した取付け構造に比較して簡単であると共に、製作コストは安くなる。そして筒体には軸方向にスリット溝が設けられ、この筒体に弾性体を嵌めることでスリット溝幅は縮小して筒体はアイドルギアのツバを拘束することが出来る。
【００１９】
従って、キャプスタンモータにて従動プーリと共にギア及びアイドルギアが回転するならば、該アイドルギアのツバと筒体内周面との間に発生する摩擦トルクにより、ギアアームは回転揺動してアイドルギアはリール台ギアと噛み合うことが出来る。そして弾性体は筒体に嵌って該筒体を締める為に安定した摩擦トルクが発生し、アイドルギアはリール台ギアとスムーズに噛み合うことが出来る。又、本発明のアイドラー装置では従来のようなコイルスプリングを備えていないために、アイドルギアを押し下げるバネ力は作用せず、仮にアイドルギアがその自重により降下してシャーシに接してもアイドラー装置の作用に大きな影響はない。
【図面の簡単な説明】
【図１】本発明の実施例であって、アイドルギアの取付け構造。
【図２】図１のＡ−Ａ断面拡大図。
【図３】アイドラー装置野該略図。
【図４】アイドルギアの従来の取付け構造。
【符号の説明】
２１  ギアアーム
２２  アイドルギア
２３  軸
２４  筒体
２５  溝空間
２６  スリット溝
２７  筒片
２８  ツバ
２９  弾性体
３０  シャーシ
【図１】
0003569805.tif 000002
【図２】
0003569805.tif 000003
【図３】
0003569805.tif 000004
【図４】
0003569805.tif 000005